(57)【要約】  【課題】  合焦精度を向上させる。  【解決手段】  ＡＦ評価値積算開始前に、フォーカスエリア内に点光源が含まれるか否かの判定を行う。フォーカスエリア内に点光源が含まれると判定されると、高ＨＰＦ及び低ＨＰＦのカットオフ周波数が切り換えられる。次にフォーカスエリアを分割して生成される小領域毎に点光源を含む小領域であるか否かを判定し、点光源を含む小領域であると判定された領域では、高ＨＰＦから出力された輝度信号の高域周波数成分をＡＦ評価値として積算し、点光源を含まない領域であると判定された場合は、高ＨＰＦから出力された輝度信号の高域周波数成分と低ＨＰＦから出力された輝度信号の高域周波数成分を加算した成分をＡＦ評価値として積算する。【選択図】    図１
2013024886.tif 000002
【特許請求の範囲】
【請求項１】
撮像により被写体の画像信号を取得する撮像手段、
前記画像信号にフォーカスエリアを設定する設定手段、
前記フォーカスエリアの画像信号に含まれる輝度信号にフィルタ処理を施す第１フィルタ手段、
前記フォーカスエリアの画像信号に含まれる輝度信号にフィルタ処理を施す、前記第１フィルタ手段とは異なるカットオフ周波数が設定された第２フィルタ手段、
前記被写体に点光源が含まれるか否かを判定する第１判定手段、
前記フォーカスエリアの画像信号に含まれる輝度信号から評価値を算出する算出手段、および
前記評価値に基づき合焦制御を行う合焦手段、を備え、
前記第１判定手段によって前記被写体に点光源が含まれると判定された場合は、前記算出手段は、前記第１フィルタ手段の出力および前記第２フィルタ手段の出力に基づき前記評価値を算出することを特徴とする撮像装置。
【請求項２】
フォーカスレンズ、および
前記フォーカスレンズを光軸方向に沿って駆動させる駆動手段、を備え、
前記算出手段は、前記駆動手段によって前記フォーカスレンズを駆動させながら異なるフォ
ーカスレンズ位置でそれぞれ前記評価値を算出し、
前記合焦手段は、前記評価値が最大となる位置にフォーカスレンズを配置することを特徴とする請求項１記載の撮像装置。
【請求項３】
前記フォーカスエリアは、複数の小領域からなり、
前記算出手段は、前記複数の小領域毎に前記評価値を算出するを特徴とする請求項１及び２記載の撮像装置。
【請求項４】
前記第１判定手段によって、前記被写体に点光源が含まれると判定された場合に、前記複数の小領域の各々について、該点光源による影響を受けている小領域であるか否かを判定する第２判定手段、を更に備え、
前記評価値算出手段は、前記第２判定手段によって前記点光源による影響を受けていると判定された小領域は、前記第１フィルタ手段による出力に基づき前記評価値を算出し、前記点光源による影響を受けていないと判定された小領域は前記第１フィルタ手段による出力および前記第２フィルタ手段による出力に基づき前記評価値を算出することを特徴とする請求項３記載の撮像装置。
【発明の詳細な説明】
【技術分野】
【０００１】
本発明は、撮像装置に関し、特に、ＡＦ（Automatic Focus）処理によって光学レンズのフォーカス位置を調整する撮像装置に関する。
【背景技術】
【０００２】
ＡＦ制御の一手法として、山登りＡＦ制御（コントラストＡＦ制御とも言う。）がある。山登りＡＦ制御では、画像信号に含まれる輝度信号(Ｙ信号)をＨＰＦ（High-Pass Filter）に通過させることで、当該輝度信号の高域周波数成分を検出し、この輝度信号の高域周波数成分の積算値（以下、ＡＦ評価値と記載する。）を算出する。
【０００３】
この積算値が最大となるフォーカスレンズ位置、即ちピーク位置を探索し、この位置にフォーカスレンズが来るように制御する。
【０００４】
ＡＦ評価値の取得は、通常、撮像装置が捉えている撮影領域の画像全体に対して行われることは無く、例えば、画像の中央部の領域にフォーカスエリアを設定し、このフォーカスエリアの画像信号に対して行われる。
【０００５】
具体的には、フォーカスエリアを複数の小領域に分割し、各小領域毎に画像信号に含まれる輝度信号の高域周波数成分を取得する。
【０００６】
そして、各小領域内で取得された輝度信号の高域周波数成分を積算することによりＡＦ評価値を算出し、このＡＦ評価値が最大となるようにフォーカスレンズ位置を制御する。
【０００７】
尚、このＡＦ評価値が最大となるようなフォーカスレンズ位置は、被写体にピントが合った位置であり、合焦点あるいは合焦位置という。
【０００８】
輝度信号の高域周波数成分を通過させるＨＰＦのカットオフ周波数（換言すると、遮断周波数。）は、被写体によって切り換えられる。例えば、被写体が低コントラストである場合は、ＨＰＦのカットオフ周波数を低め（例えば、300KHzなど。）に設定する。
【０００９】
これは、ＨＰＦのカットオフ周波数が高過ぎると輝度信号の周波数成分の大半がＨＰＦに遮断されてしまい、その結果、ＡＦ評価値から合焦点を検出することが困難になるためである。
【００１０】
一方、被写体に、蝋燭の炎や電灯などのように一点から放射状に光を放つ点光源が含まれる場合は、高コントラストになるため、ＨＰＦのカットオフ周波数を高め（例えば、2MHzなど。）に設定する。
【００１１】
これは、ＨＰＦのカットオフ周波数が低過ぎると輝度信号の周波数成分の大半がＨＰＦを通過してしまい、その結果、ＡＦ評価値のピーク位置をうためである。
【００１２】
例えば、特許文献１には、撮像された画像データの輝度信号に基づいて、フォーカスエリア内に高輝度領域、低輝度領域が含まれるか否かの判定を行ない、フォーカスエリア内に高輝度領域と低輝度領域とがともに含まれると判定された場合には、点光源を含む被写体であると判定し、ＨＰＦのカットオフ周波数を高く設定する一方で、フォーカスエリア内に高輝度領域又は低輝度領域が存在しないと判定されると、低コントラストの被写体であると判定し、ＨＰＦのカットオフ周波数を低く設定するオートフォーカス装置が開示されている。
【先行技術文献】
【特許文献】
【００１３】
【特許文献１】特開２００７−１０８４１２号公報
【発明の概要】
【発明が解決しようとする課題】
【００１４】
特許文献１に開示の発明は被写体に点光源が含まれると判定された場合、点光源以外の被写体に関わらず、ＨＰＦのカットオフ周波数を高く設定する。ＨＰＦのカットオフ周波数を高くすると、ＨＰＦから出力される輝度信号の高域周波数成分の成分量が減少する。
【００１５】
そのため、フォーカスエリア内に点光源を含む被写体と共に低コントラストの被写体が含まれる場合、低コントラストの被写体が含まれる領域の画像信号からは、輝度信号の高域周波数成分を十分に得ることができず、ＡＦ評価値の絶対量が小さくなり、被写体に合焦できないおそれがある。
【課題を解決するための手段】
【００１６】
本発明は、上記課題に鑑みてなされたものであり、本願発明にかかる自動焦点制御装置は、（クレーム完成後、挿入）ことを特徴とする。
【発明の効果】
【００１７】
本発明によると、点光源を含む被写体と共に低コントラストの被写体が含まれる場合でも合焦精度を向上させることができる。
【図面の簡単な説明】
【００１８】
【図１】本発明にかかる撮像装置１の構成の概略を示すブロック図である。
【図２】通常撮影モード時の撮像装置１の処理動作を示すフローチャートである。
【図３】ＡＦ評価部２８の内部構成の概略を示すブロック図である。
【図４】画像信号Ｐ、フォーカスエリアＦＡ、及び小領域１〜１６の概略を示す図解図である。
【図５】通常時及び点光源被写体時における高ＨＰＦ２８１及び低ＨＰＦ２８２のカットオフ周波数の一例を示す図である。
【図６】フォーカスエリアＦＡに点光源が含まれる場合のＡＦ評価値の積算処理動作を示すフローチャートである。
【図７】フォーカスエリアＦＡに点光源が含まれる場合のＡＦ評価値の積算処理動作を示す他のフローチャートである。
【発明を実施するための形態】
【００１９】
（実施例）
【００２０】
（撮像装置１の構成）
本発明の一実施形態について、図面を参照して説明する。図１は本発明に係る撮像装置１の構成の概略を示すブロック図である。
撮像装置１は、被写体にピントを合わせるためのフォーカスレンズ２、露光量を調節する絞り４、被写体の光学像を画像信号に光電変換する撮像素子６を備え、撮像素子６により変換された画像信号に相関二重サンプリング処理を施すＣＤＳ（Correlated Double Sampling）、自動ゲイン制御を施すＡＧＣ（Automatic Gain Control）、Ａ／Ｄ変換を施すＡＤＣ（Analog Digital Conversion）からなるＣＤＳ／ＡＧＣ／ＡＤＣ８を備えている。
また撮像装置１は、フォーカスレンズ２、絞り４、撮像素子６およびＣＤＳ／ＡＧＣ／ＡＤＣ８を制御するドライバ１０、ＣＤＳ／ＡＧＣ／ＡＤＣ８により処理された画像信号にホワイトバランス調整、色分離、およびＹＵＶ変換などの処理を施す信号処理部１２を備える。
【００２１】
さらに撮像装置１は、信号処理部１２により処理が施された画像信号の画像領域全体の内、例えば、中央付近に複数の小領域からなるフォーカスエリアを設定するフォーカスエリア設定部１４、フォーカスエリア設定部１４により設定されたフォーカスエリア内の各小領域の画像信号から輝度信号の高域周波数成分を抽出し、これらを積算することにより、フォーカスエリア内のＡＦ評価値を算出し、後述するＣＰＵ２６に出力するＡＦ評価部２８、並びに、フォーカスエリアの画像の各画素が持つ輝度信号を抽出し、後述するＣＰＵ２６に出力する輝度評価部１６を備えている。
また撮像装置１は、画像信号をフレーム単位で一時記録するメモリ１８、メモリ１８に一時記録された画像信号や後述する記録媒体２４に記録されている画像ファイルを表示する表示部２０、シャッタボタン２２ｓを含む操作部２２、シャッタボタン２２ｓの操作に応じてメモリ１８に一時記録された画像信号を記録する記録媒体２４、撮像装置１全体の制御を行うＣＰＵ２６を備えている。
【００２２】
撮像素子６は、例えば、ＣＣＤ（Charge Coupled Device）イメージセンサ、ＣＭＯＳ（Complementary Metal Oxide Semiconductor）イメージセンサ等の固体撮像素子が使用される。
【００２３】
メモリ１８は、例えば、ＶＲＡＭ（Video Random Access Memory）、ＳＲＡＭ（Static Random Access Memory）、ＤＲＡＭ（Dynamic Random Access Memory）、或いはＳＤＲＡＭ（Synchronous DRAM）などの一般的に用いられているメモリが使用される。
【００２４】
表示部２０は、例えば、ＬＣＤ（Liquid Crystal Display）モニタや有機ＥＬ（Electro-Luminescence）モニタが使用される。また、表示部２０は、人の指の接触を感知するタッチパネル式であっても構わない。
【００２５】
記録媒体２４は、例えばフラッシュメモリや内蔵型ＨＤＤ（Hard Disk Drive）などの撮像装置１に内蔵される内部記録媒体、或いはＳＤメモリカードやメモリスティック（登録商標）外付けＨＤＤなどの撮像装置１への着脱が自在な外部記録媒体が使用される。
【００２６】
（通常撮影モード時の処理動作）
次に、図２を参照して、この撮像装置１の静止画撮影時の基本動作についてフローチャートを用いて説明する。ユーザによって撮像装置１の電源がオンにされると、撮像装置１の駆動モードつまり撮像素子６の駆動モードがプレビューモードに設定される（Ｓ２０１）。
【００２７】
プレビューモードとは、撮影対象となる画像を記録することなく表示部２０に表示するモードであり、撮影対象を定め、構図を決定するために用いることができる。
【００２８】
続いて撮影モードの入力待ち状態となり、人物撮影に適したモード、移動物体の撮影に適したモード、逆光での撮影に適したモード等、撮像装置１の機能や撮影シーンに応じたモードが選択される。撮影モードが入力されない場合は通常撮影モードが選択されたものとする。
【００２９】
プレビューモードでは、撮像素子６の光電変換動作によって得られたアナログの画像信号は、ＣＤＳ／ＡＧＣ／ＡＤＣ８においてデジタル画像信号に変換されて、信号処理部１２で色分離、ホワイトバランス調整、ＹＵＶ変換などの画像処理が施され、メモリ１８に書き込まれる。メモリ１８に書き込まれた画像信号は、逐次、表示部２０に表示される。
この結果、所定期間毎（例えば、１/３０秒毎や１/６０秒毎）に撮影領域を表すリアルタイム動画像（プレビュー画像）が表示部２０に逐次表示される。
続いてユーザが、撮影の対象とする被写体に対して所望の画角となるように、光学ズームでのズーム倍率を設定する（Ｓ２０３）。その際、信号処理部１２に入力された画像信号に基づきＣＰＵ２６がドライバ１０を駆動させ、これによって絞り４およびフォーカスレンズ２がそれぞれ制御され、最適な露光制御（Automatic Exposure；ＡＥ）・合焦制御（Automatic Focus；ＡＦ）が行われる（Ｓ２０５）。
合焦制御は、山登りＡＦ制御で行われる。山登りＡＦ制御とは、撮像素子６に受光した被写体像の画像信号に含まれる輝度信号の高域周波数成分を検出し、この輝度信号の高域周波数成分の積算し、ＡＦ評価値を算出する。
そして、ＡＦ評価値が最大となるフォーカスレンズ位置、即ちピーク位置を探索し、この位置にフォーカスレンズ２を配置するように制御する。前述の通り、ＡＦ評価値の取得は、通常、撮像装置１が捉えている撮影領域の画像信号全体に対して行われることは無く、画像信号内にフォーカスエリアを設定し、該フォーカスエリア内でＡＦ評価値を取得する場合が多い。山登りＡＦ制御の詳細については後述する。
【００３０】
ユーザが撮影画角、構図を決定し、操作部２２のシャッタボタン２２ｓを半押しすると（Ｓ２０７でＹｅｓ）、ＡＥの調整処理、およびＡＦの最適化処理が行われる（Ｓ２０９）。
【００３１】
その後、シャッタボタンが全押しされると（Ｓ２１１でＹｅｓ）、ＴＧ（Timing Genelator：図示せず。）より、撮像素子６、ＣＤＳ／ＡＧＣ／ＡＤＣ８、及び信号処理部１２のそれぞれに対してタイミング制御信号が与えられる。
【００３２】
タイミング制御信号が与えられると、ＣＰＵ２６は、各部の動作タイミングを同期させ、撮像素子６の駆動モードを静止画撮影モードに設定し、撮像素子６から出力されるアナログ画像信号をＣＤＳ／ＡＧＣ／ＡＤＣ８でデジタル画像信号に変換して信号処理部１２内のフレームメモリ（図示せず。）に書き込む（Ｓ２１３）。
このデジタル画像信号がこのフレームメモリから読み込まれ、信号処理部１２において輝度信号及び色差信号の生成を行う信号変換処理などの各種信号処理が施される。
【００３３】
信号処理が施されたデジタル画像信号は、画像コーデック部（図示せず。）においてＪＰＥＧ（Joint Photographic Experts Group）形式に圧縮された（Ｓ２１５）後、記録媒体２４に圧縮画像が書き込まれて（Ｓ２１７）、撮影が完了する。その後、プレビューモードに戻る。
（山登りＡＦ制御）
次に、山登り制御について説明する。山登りＡＦ制御は、例えば、次のように実現される。図３は、ＡＦ評価部２８の内部構成の概略を示すブロック図である。図４は撮像装置１により取得された撮影領域の画像Ｐ、フォーカスエリアＦＡ、およびフォーカスエリアＦＡを分割することで生成される小領域１〜１６を示している。
【００３４】
ＡＦ評価部２８は、高ＨＰＦ２８１、高ＨＰＦ２８１よりもカットオフ周波数が低く設定された低ＨＰＦ２８２を備える。
【００３５】
また、ＡＦ評価部２８は、高ＨＰＦ２８１から出力される輝度信号の高域周波数成分と低ＨＰＦ２８２から出力される輝度信号の高域周波数成分を加算する加算部２８３、及び高ＨＰＦ２８１、低ＨＰＦ２８２、および加算部２８３から出力される輝度信号の高域周波数成分を積算してＡＦ評価値を算出する評価値積算部２８４を備える。
【００３６】
フォーカスエリア設定部１４によってフォーカスエリアＦＡが設定された画像Ｐは輝度評価部１６及びＡＦ評価部２８にそれぞれ出力される。
【００３７】
ＡＦ評価部２８では、画像Ｐをなす画像信号の内、フォーカスエリアＦＡの画像信号に含まれる輝度信号が高ＨＰＦ２８１及び低ＨＰＦ２８２にそれぞれ入力される。
【００３８】
これによって、各ＨＰＦから輝度信号の高域周波数成分がそれぞれ出力され、この高域周波数成分を積算することでＡＦ評価値が算出される。
【００３９】
尚、フォーカスエリアＦＡ内の画像信号は、高ＨＰＦ２８１及び低ＨＰＦ２８２のそれぞれに入力されるが、被写体に点光源を含まない場合は、評価値積算部２８４は、高ＨＰＦ２８１から出力される輝度信号の高域周波数成分のみを積算することでＡＦ評価値を算出する。
【００４０】
また、高ＨＰＦ２８１、及び低ＨＰＦ２８２は、被写体に応じてカットオフ周波数を切り換えることが可能である。
【００４１】
各ＨＰＦのカットオフ周波数と被写体の対応は、例えば、図４に示すように、被写体に点光源が含まれない場合は、高ＨＰＦ２８１のカットオフ周波数は６００ＫＨｚ、低ＨＰＦ２８２のカットオフ周波数は２００ＫＨｚに設定される。
【００４２】
一方、被写体に点光源が含まれる場合は、高ＨＰＦ２８１のカットオフ周波数は２ＭＨz、低ＨＰＦ２８２のカットオフ周波数は３００ＫＨｚに設定される。尚、図４に示すカットオフ周波数は一例であり、これに限定はされることはない。
【００４３】
フォーカスエリア設定部１４は、画像Ｐの中央部にフォーカスエリアＦＡを設定し、さらにフォーカスエリアＦＡを分割し１６個の小領域１〜１６を生成する。
【００４４】
尚、本実施例では小領域の数が１６個の場合について説明するが、小領域の数はこれに限定されず、より細かい分割を行っても良い。また、フォーカスエリアＦＡを設定する位置はは画像中央部でなくてもよい。
【００４５】
フォーカスエリア１４はフォーカスエリアＦＡを設定すると、フォーカスエリアＦＡに対応する画像信号に含まれる輝度信号を輝度評価部１６に出力する。
【００４６】
次に、ＣＰＵ２６は、フォーカスエリアＦＡ内に点光源が含まれるか否かを判定する。点光源が含まれるか否かの判定方法については、後述する。
【００４７】
フォーカスエリアＦＡ内に点光源が含まれると判定された場合は、高ＨＰＦ２８１及び低ＨＰＦ２８２のカットオフ周波数を点光源用のものに切り換える。
【００４８】
次に、ＡＦ評価部２８は、フォーカスエリアＦＡを構成する小領域１〜１６のそれぞれに対して、点光源による影響を受けている小領域であるか否かを判定する。
【００４９】
その結果、点光源よる影響を受けている小領域であると判定された場合は、当該小領域に対応する画像信号の輝度信号について、高ＨＰＦ２８１から出力された高域周波数成分のみを評価値積算部２８４に出力する。
【００５０】
一方、点光源よる影響を受けていない小領域であると判定された場合は、当該小領域に対応する画像信号に含まれる輝度信号について、高ＨＰＦ２８１から出力された高域周波数成分と低ＨＰＦ２８２から出力された高域周波数成分を加算部２８３に出力する。
【００５１】
加算部２８３は、高ＨＰＦ２８１から出力された高域周波数成分と低ＨＰＦ２８２から出力された高域周波数成分を加算し、評価値積算部２８４に出力する。
【００５２】
これは、点光源による影響を受けていない小領域が低コントラストである場合、高ＨＰＦから出力される高域周波数成分のみでは、十分なＡＦ評価値を取得することができないおそれがあるためである。
【００５３】
評価値積算部２８４は、フォーカスエリアＦＡ内に点光源が含まれる場合は、高ＨＰＦ２８１から出力された高域周波数成分と、加算部２８３から出力された高域周波数成分を積算してＡＦ評価値を算出する。
【００５４】
このようにして、フォーカスエリアＦＡに含まれる画像信号の高域周波数成分の１フレーム分の積算値をＡＦ評価値として取得し、ＣＰＵ２６へ出力する。
【００５５】
ＣＰＵ２６は、ＡＦ評価部２８からのＡＦ評価値が最大（ピーク）となるように、ドライバ１０を介してフォーカスレンズ２の位置を制御する。
【００５６】
これにより、撮像装置１は点光源を含む被写体がある場合に同時に低コントラスト被写体が混在する場合でも十分な絶対量のＡＦ評価値を積算することができ、被写体に対して適切に合焦することが出来る。
【００５７】
図６および図７は、フォーカスエリアＦＡに点光源が含まれる場合における山登りＡＦ制御の処理動作を示すフローチャートである。尚、図６及び図７において同一の符号を付す箇所は、同一の処理動作を行う。
【００５８】
ステップＳ５０１では、画像ＰにフォーカスエリアＦＡを設定し、ステップＳ５０３に進む。ステップＳ５０３では、フォーカスエリアＦＡ内に点光源が含まれるか否かを判定する。
【００５９】
フォーカスエリアＦＡ内に点光源が含まれる場合はステップＳ５０５に進み、そうでない場合はステップＳ５２１に進む。
【００６０】
ステップＳ５０５では、高ＨＰＦ２８１および低ＨＰＦ２８２のカットオフ周波数を点光源が含まれる場合の周波数に設定し、ステップＳ５０７に進む。
ステップＳ５０７では、ｉ＝１に設定しステップＳ５０９に進む。ステップＳ５０９では、小領域ｉが点光源による影響を受けているか否かを判定する。点光源による影響を受けている場合はステップＳ５１３に進み、そうでない場合はステップＳ５１１に進む。
【００６１】
ステップＳ５１１では、被写体に点光源が含まれる場合のカットオフ周波数に設定された高ＨＰＦ２８１から出力される輝度信号の高域周波数成分を評価値積算部２８４に出力する。
【００６２】
ステップ５１３では、高ＨＰＦ２８１から出力される輝度信号の高域周波数成分と低ＨＰＦ２８２から出力される輝度信号の高域周波数成分を加算部２８３で加算した高域周波数成分を評価値積算部２８４に出力する。
【００６３】
ステップＳ５１５では、出力された高域周波数成分をＡＦ評価値として積算し、ステップＳ５１７に進む。ステップＳ５１７ではｉ＝１６であるか否かを判定する。ｉ＝１６である場合はＡＦ評価値の積算を終了し、そうでない場合はステップＳ５１９に進む。
【００６４】
ステップＳ５１９では、ｉの値をインクリメントする。ｉの値をインクリメントしたらステップＳ５０３に戻る。
【００６５】
ステップＳ５２１では、高ＨＰＦ２８１および低ＨＰＦ２８２のカットオフ周波数を点光源が存在しない場合の周波数に設定し、ステップＳ５０７に進む。
【００６６】
ステップＳ５２３では、被写体に点光源が存在しない場合のカットオフ周波数に設定された高ＨＰＦ２８１から出力される輝度信号の高域周波数成分を評価値積算部２８４に出力する。ステップＳ５２５では、ｉをインクリメントし、ステップＳ５２３に戻る。
（点光源判定処理）
次に、フォーカスエリアＦＡ内に点光源が含まれるか否かを判定する点光源判定処理について説明する。
【００６７】
フォーカスエリア設定部１４は、フォーカスエリアＦＡを設定するとフォーカスエリアＦＡ内に含まれる画像信号を輝度評価部１６に出力する。
【００６８】
輝度評価部１６は、フォーカスエリア設定部１４から出力された画像信号の各画素の輝度信号を検出し、その検出結果をＣＰＵ２６に出力する。
【００６９】
ＣＰＵ２６は、輝度評価部１６から出力された検出結果から、画像信号Ｐに設定されたフォーカスエリアＦＡ内に含まれる各画素の輝度信号（Ｙ信号）取得する。続いて、ＣＰＵ２６は、取得した各画素の輝度信号に基づいて、フォーカスエリアＦＡ内に高輝度領域が含まれるか否かの判定を行う。
【００７０】
具体的には、フォーカスエリアＦＡ内に含まれる各画素の輝度信号に基づいて、第１の閾値より高輝度の画素数をカウントし、第１の閾値より高輝度である画素数がフォーカスエリアＦＡ内に含まれる画像信号の総画素数に対して、第１の割合（例えば、０．２％）よりも多いか否かで判定される。
【００７１】
ＣＰＵ２６は、第１の閾値より高輝度である画素数がフォーカスエリアＦＡ内に含まれる画像信号の総画素数に対して、第１の割合より多い場合には高輝度領域が含まれると判定する。
【００７２】
フォーカスエリアＦＡ内に高輝度領域が含まれると判定すると、続いてＣＰＵ２６は、フォーカスエリアＦＡ内に低輝度領域が含まれるか否かの判定を行なう。具体的には、画像信号Ｐ内に設定されたフォーカスエリアＦＡ内に含まれる各画素の輝度信号に基づいて、第２の閾値より低輝度の画素数をカウントし、第２の閾値より低輝度である画素数がフォーカスエリアＦＡ内に対応する画像信号の総画像数に対して第２の割合（例えば、２％）よりも多いか否かで判定される。
【００７３】
ＣＰＵ２６は、第２の閾値より低輝度である画素数がフォーカスエリアＦＡ内に含まれる画像信号の総画素数に対して、第２の割合より多い場合には低輝度領域が含まれると判定する。
【００７４】
このように、フォーカスエリアＦＡ内に高輝度領域と低輝度領域がそれぞれ含まれると判定された場合は点光源を含む被写体であると判定し、ＣＰＵ１１は、高ＨＰＦおよび低ＨＰＦのカットオフ周波数を点光源用の周波数に切り換えられる。
【００７５】
点光源を含む被写体であると判定されると、ＣＰＵ２６は各小領域に対して、それぞれ点光源を含む小領域であるか否かを判定する。これは各小領域内において、第１の閾値より高輝度の画素数をカウントし、第３の閾値より高輝度である画素数が小領域内に含まれる画像信号の総画像数に対して第３の割合（例えば、１０％）よりも多いか否かで判定される。
【００７６】
上記実施例では、画像の中央部にフォーカスエリアＦＡが設定され、設定されたフォーカスエリアＦＡを分割することで小領域を生成しているが、画像信号全体を複数の小領域に分割し、分割された小領域の内、画像信号Ｐの中央部に相当する複数の小領域をフォーカスエリアＦＡに設定するようにしても良い。
【００７７】
また、信号処理が施された後の画像に対してフォーカスエリアＦＡを設定するようにしているが、例えば、撮像素子によって光電変換された画像やＣＤＳ／ＡＧＣ／ＡＤＣ８でＡ／Ｄ変換された画像に対してフォーカスエリアＦＡを設定するようにしても良い。
【００７８】
また、点光源の有無に応じて、高ＨＰＦ２８１及び低ＨＰＦ２８２のカットオフ周波数を切り換えるだけでなく、フォーカスエリアＦＡの位置、大きさなども切り換えるようにしても良い。
【００７９】
また、被写体に点光源が含まれるか否かの判定について、第１閾値よりも高輝度な画素を含む割合が第１の割合よりも多く、且つ、第２閾値よりも低輝度な画素を含む割合が第２の割合よりも多いか否かで判定を行っている。
【００８０】
しかし、予めフォーカスエリアＦＡ内に含まれる画像信号の画素数が判明している場合は、第１閾値よりも高輝度な画素の画素数、および、第２閾値よりも低輝度な画素の画素数で被写体に点光源が含まれるか否かを判定するようにしても良い。
【００８１】
以上、本発明の一実施例について説明したが、本発明はこれらの実施例に限定されず、その要旨の範囲内で変形及び変更が可能である。
【符号の説明】
【００８２】
２      フォーカスレンズ
４      絞り
６      撮像素子
８      ＣＤＳ／ＡＧＣ／ＡＤＣ回路
１２      信号処理部
１４      フォーカスエリア設定部
１６      輝度評価部
１８      メモリ
２０      表示部
２２      操作部部
２２ｓ    シャッタボタン
２４      記録媒体
２６      ＣＰＵ
２８      ＡＦ評価部
２８１    高ＨＰＦ
２８２    低ＨＰＦ
２８３    加算部
２８４    評価値積算部
【図１】
2013024886.tif 000003
【図２】
2013024886.tif 000004
【図３】
2013024886.tif 000005
【図４】
2013024886.tif 000006
【図５】
2013024886.tif 000007
【図６】
2013024886.tif 000008
【図７】
2013024886.tif 000009